(57)【要約】      （修正有）【課題】湾曲に変形した歯の根管内に残留した根管治療器具の破折片を除去するための破折片除去器具を提供する。【解決手段】把持するための柄３１２と、前記柄の遠位端から突出する弾性を有したガイド板３１４と、前記ガイド板の遠位端において前記破折片を締めるためのワイヤ３１６とを備え、前記ワイヤは、前記柄の内側に近位端を置き、前記ガイド板に沿って前記ガイド板の遠位端まで伸長し、前記ガイド板の遠位端にてループ３１８を形成し、前記柄は、前記ワイヤを介して前記ガイド板の遠位端に形成されたループを収縮させるための操作部として設けられたスライドトリガ３２０を備える破折片除去装置３００である。【選択図】図１
2009131290.tif 000002
【特許請求の範囲】
【請求項１】
歯の根管内に残された器具の破折片を除去するための破折片除去装置であって、
把持するための柄と、
前記柄の遠位端から突出する弾性を有したガイド板と、
前記ガイド板の遠位端において前記破折片を締めるためのワイヤと、を備え、
前記ワイヤは、前記柄の内側に近位端を置き、前記ガイド板に沿って前記ガイド板の遠位端まで伸長し、前記ガイド板の遠位端にてループを形成し、
前記柄は、前記ワイヤを介して前記ガイド板の遠位端に形成されたループを収縮させるための操作部を備えることを特徴とする、
破折片除去装置。
【請求項２】
前記ガイド板は、前記遠位端において２つの通し孔を有し、
前記ワイヤは、前記２つの通し孔を通って前記ガイド板の遠位端にループを形成することを特徴とする、
請求項１に記載の破折片除去装置。
【請求項３】
前記ガイド板は、前記遠位端において通し孔を有し、
前記ワイヤは、前記通し孔を通って前記ガイド板の遠位端にループを形成し、前記ガイド板の遠位端にて固定されていることを特徴とする、
請求項１に記載の破折片除去装置。
【請求項４】
前記操作部はトリガボタンを有し、前記トリガボタンを前記柄の内側に押し入れることにより、前記ガイド板に沿って伸長する前記ワイヤが近位端方向に引っ張られ、前記ガイド板の遠位端に形成された前記ループが収縮するように構成されていることを特徴とする、
請求項１に記載の破折片除去装置。
【請求項５】
前記操作部は、滑動することができるスライドトリガであり、前記スライドトリガを前記柄の近位端方向に移動することにより、前記ガイド板に沿って伸長する前記ワイヤが前記柄の近位端方向に引っ張られ、前記ガイド板の遠位端に形成された前記ループが収縮するように構成されていることを特徴とする、
請求項１に記載の破折片除去装置。
【請求項６】
前記ガイド板の幅は１ｍｍ以下で、厚さは１ｍｍ以下であることを特徴とする、
請求項１に記載の破折片除去装置。
【請求項７】
前記ワイヤの直径は、０．３ｍｍ以下であることを特徴とする、
請求項１に記載の破折片除去装置。
【発明の詳細な説明】
【技術分野】
【０００１】
本発明は、リーマやファイル等の歯科用根管治療器具の一部が根管内に破折片として残留した場合に、これを除去するための歯科用破折片除去器具に関する。
【背景技術】
【０００２】
根管治療において、根管を拡大するときに用いられるファイル等の根管治療器具は、象牙質、歯質、歯髄組織等を切削する作業に由来して切削余剰物や細菌付着等の各種汚染が容易に予測される。従って、治療を受ける各患者ごとに器具を廃棄することが理想ではあるが、実際にはこれら器具の洗浄殺菌を使用する度に繰り返し行い、機能的に使用に耐えられなくなるまで継続して使用するのが一般的であった。一方、器具を継続して使用するため治療中に器具の先端が破断し、根管内に破折片が残留してしまうことも少なくない。
【０００３】
これまでにも、このような破折片を除去するための器具や方法が開発され（例えば、特許文献１または２）、根管内に根管治療器具の破折片が残留する問題の解決に取り組まれてきた。
【特許文献１】特開２００１−２６９３５６
【特許文献２】特開２００３−９３４０６
【発明の開示】
【発明が解決しようとする課題】
【０００４】
本発明の目的は、様々な形状の根管内に残留した破折片を除去することができる新規の破折片除去器具を提供することにある。
【課題を解決するための手段】
【０００５】
本発明における歯の根管内に残された器具の破折片を除去するための破折片除去装置は、把持するための柄と、前記柄の遠位端から突出する弾性を有したガイド板と、前記ガイド板の遠位端において前記破折片を締めるためのワイヤとを備え、前記ワイヤは、前記柄の内側に近位端を置き、前記ガイド板に沿って前記ガイド板の遠位端まで伸長し、前記ガイド板の遠位端にてループを形成し、前記柄は、前記ワイヤを介して前記ガイド板の遠位端に形成されたループを収縮させるための操作部を備えることとする。
【０００６】
さらに、前記ガイド板は、前記遠位端において２つの通し孔を有し、前記ワイヤは、前記２つの通し孔を通って前記ガイド板の遠位端にループを形成する構成としてもよい。
【０００７】
または、前記ガイド板は、前記遠位端において通し孔を有し、前記ワイヤは、前記通し孔を通って前記ガイド板の遠位端にループを形成し、前記ガイド板の遠位端にて固定されている構成としてもよい。
【０００８】
本発明に係る破折片除去器具において、前記操作部は、トリガボタンを有し、前記トリガボタンを前記柄の内側に押し入れることにより、前記ガイド板に沿って伸長する前記ワイヤが近位端方向に引っ張られ、前記ガイド板の遠位端に形成された前記ループが収縮するように構成されていることとする。
【０００９】
本発明に係る破折片除去器具において、前記操作部は、滑動することができるスライドトリガであり、前記スライドトリガを前記柄の近位端方向に移動することにより、前記ガイド板に沿って伸長する前記ワイヤが前記柄の近位端方向に引っ張られ、前記ガイド板の遠位端に形成された前記ループが収縮するように構成されていることとする。
【００１０】
また、本発明に係る破折片除去器具において、前記ガイド板の幅は１ｍｍ以下で、厚さは１ｍｍ以下であることが好ましく、前記ワイヤの直径は、０．３ｍｍ以下であることが好ましい。
【発明の効果】
【００１１】
本発明の破折片除去器具を用いることによって、様々な形状の根管内に残留している根管治療器具の破折片を除去することが可能となる。
【発明を実施するための最良の形態】
【００１２】
本発明の目的、特徴、利点、及びそのアイデアは、本明細書の記載により、当業者には明らかであり、本明細書の記載から、当業者であれば、容易に本発明を再現できる。以下に記載された発明の実施の形態などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１３】
＝＝＝破折片除去器具の構成＝＝＝
本発明の一実施例による破折片除去器具３００の構成を図１に示している。破折片除去器具３００は、操作者が把持する柄３１２と、柄３１２の遠位端から突出するガイド板３１４と、柄３１２を貫通しガイド板３１４の内側を通ってガイド板３１４の遠位端にループを形成するワイヤ３１６と、柄３１２に設けられ、ループを収縮させるための操作部とを備えている。操作部は、ワイヤ３１６をガイド板３１４の近位端方向に引っ張ることにより、ワイヤ３１６の長さと張力を調節し、ガイド板３１４の遠位端に形成されるループを収縮させるために設けられている。なお、本実施例においては、スライドトリガ３２０を操作部として柄３１２に設ける。
【００１４】
図１（a）に示すように、柄３１２は中空形状で、他の歯科器具と同様、握りやすく操作しやすい大きさおよび形状、衛生状態を確保できる材質からなっている。柄３１２の近位端の内部にワイヤ３１６の終端部を固定するワイヤ固定部３２２が設けられている。
【００１５】
ここで、図４に示すように、湾曲している歯の根管内に根管治療器具の破折片が残留している場合、従来の破折片除去器具は、図４に示すような根管内に残留した破折片を除去することは困難であった。また、根管を削ることで破折片までの直線状の経路を形成することもできるが、根管を大きく削る必要があるため、根管はもとより歯全体に大きく負担をかけるので実用的でない。
【００１６】
従って、湾曲した根管の先端に残留した破折片に到達するためには、破折片除去器具における根管内挿入部分が根管の形状に適合することが必要とされる。しかしながら、破折片除去器具の根管挿入部分が挿入する前から湾曲していてはそもそも根管の垂直部分に挿入できない。つまり、破折片除去器具の根管挿入部分は、根管の垂直部分に挿入した後、湾曲することが好ましい。
【００１７】
そこで、ガイド板３１４は、ニッケル、チタン、ステンレス鋼、コバルト、クロム、アルミ、それらの合金（例えば、ニッケルチタン合金、コバルトクロム合金）、炭素繊維などを含む可撓性物質から構成されるスリーブとした。ガイド板３１４は、根管内でつかえることなく移動することができ、さらに変形した部分はその部分が根管の垂直部分に移動すると共にもとの形状に戻るようにするため、厚さを１ｍｍ〜０．０３ｍｍとし、好ましい実施形態としては、０．５ｍｍ〜０．０８ｍｍとしている。また、幅を、１ｍｍ〜０．３ｍｍとし、好ましい実施形態としては、０．６ｍｍ〜０．４ｍｍとしている。図１（a）に示すように、ガイド板３１４の厚さは、ガイド板３１４の近位端からガイド板３１４の遠位端まで一定であることが好ましいが、ガイド板３１４の近位端付近では厚く、ガイド板３１４の遠位端に向かって先細りするような構成にしてもよい。また、ガイド板３１４の幅もガイド板３１４の近位端からガイド板３１４の遠位端まで一定であることが好ましいが、ガイド板３１４の厚さと同様にガイド板３１４の遠位端に向かって先細りするような構成であってもよい。
【００１８】
ガイド板３１４は、歯列を超えて口腔内に挿入しやすいように、全体的に湾曲していることが好ましいが、ガイド板３１４の形状は湾曲形状だけでなく、施術される部位に応じて口腔内へ挿入し、操作しやすいことを考慮した形状にしてもよい。
【００１９】
ワイヤ３１６は、ニッケルメッキを施した直径０．３〜０．０３ｍｍのステンレス単線からなる高強度ワイヤであり、好ましい直径としては０．１２〜０．０６ｍｍ程度であるが、材質や直径は特に限定されない。図２（a）に示すように、ガイド板３１４の先端、すなわち遠位端には、一組の小孔３２８が設けられ、ワイヤ３１６は、両端をガイド板３１４の外側から両小孔３２８にくぐらせることにより、ガイド板３１４の遠位端にループ３１８を形成し、ガイド板３１４の内側および柄３１２の内部を通り、両終端部がワイヤ固定部３２２に連結されている。この場合のガイド板３１４の遠位端の内側を、図２（c）に拡大して示す。なお、図２（b）に拡大して示すように、ガイド板３１４の内側を通るワイヤ３１６が小孔３２８から突出し、ループ３１８を形成してからガイド板３１４の先端の固定部３３０に固定されてもよい。
【００２０】
図１（a）において、操作部として設けられたスライドトリガ３２０は、柄３１２の内部にて、ワイヤ３１６と密着している。このスライドトリガ３２０を、図１（b）に示すように、図１（a）に示す定位置から柄３１２の近位端方向にスライドさせることで、スライドトリガ３２０に密着しているワイヤ３１６を柄３１２の近位端方向に引っ張り、ガイド板３１４の遠位端に形成されたループ３１８の直径を小さくする。従って、スライドトリガ３２０を定位置から柄３１２の近位端方向にスライドさせる距離によって、ループ３１８の直径の大きさを制御する構成となっている。
【００２１】
＝＝＝破折片除去器具の操作＝＝＝
図４に示すように、湾曲している根管に残存している破折片を除去するために、本発明の破折片除去器具３００の根管挿入部分であるガイド板３１４を根管内に挿入する。ガイド板３１４は、根管の入口部分が垂直であるため、根管内の垂直部分では垂直に進入し、根管内が垂直部分から湾曲する部分では、根管の内側に沿うように変形して進入し、根管の先端に残留する破折片に到達する（図５を参照）。ガイド板３１４が、破折片に到達すると、破折片の下方に位置すると共にループ３１８で破折片を縛り、スライドトリガ３２０を制御することによってループ３１８を絞って破折片を緊縛する。このようにして、破折片をガイド板３１４に確実に固定し、ガイド板３１４を根管内から取り出すときに破折片がループ３１８から抜け落ちないようにする。そして、破折片をガイド板３１４に固定したまま破折片除去器具３００を口腔内から引き抜くことにより破折片を根管から除去することができる。
【００２２】
なお、ガイド板３１４を根管内に挿入する前に、破折片の下方と根管の間にガイド板３１４を挿入することができる空間を確保するため、根管に残存している破折片の周りの象牙質を切削器具等（例えば、特開２００３−９３４０６）で除去しておくことが望ましい。
【００２３】
＝＝＝破折片除去器具のその他の構成＝＝＝
破折片除去器具の他の構成例を図３に示している。破折片除去器具４００においては、基本的な構成は破折片除去器具３００と同様であるが、破折片除去器具３００の操作部をトリガボタン４２０とする。
【００２４】
トリガボタン４２０は、柄４１２に開口された孔に嵌合し、外面が柄４１２と面一であり、内面は柄４１２の内部にむけて弧状に膨出した形状となっている。トリガホルダ４２４はトリガボタン４２０の蝶番になっており、このトリガホルダ４２４を支点にトリガボタン４２０を柄４１２の内部に押し入れる。柄４１２の内部にバネ等の弾性体を設け（図示せず）、この弾性体とトリガボタン４２０の弧状に膨出した内面が接触する構成にすることにより、トリガボタン４２０の外面が柄４１２と面一の状態を保たれてもよい。あるいは、トリガボタン４２０を柄４１２の内側に押すとその力に反発するようにトリガホルダ４２４に弾性体を設けることで、トリガボタン４２０の外面が柄４１２と面一の状態を保つような構成とすることもできる。これらの面一を保つような状態において、トリガボタン４２０の内面はワイヤ４１６（図示せず）と接触している。
【００２５】
ループの直径を調節するため、トリガボタン４２０を柄４１２の内部に押し込むと、ワイヤ４１６は撓るので、トリガボタン４２０とワイヤ４１６の接触点より柄４１２の遠位端方向にあるワイヤ４１６を柄４１２の近位端方向に引っ張ることとなる。その結果、ガイド板４１４の遠位端に形成されたループ４１８の直径が小さくなる。トリガボタン４２０を内側に押す距離によって、ループ４１８の直径の大きさを制御する構成となっている。
【図面の簡単な説明】
【００２６】
【図１】本発明の一実施例における破折片除去器具の構成を示した図である。
【図２】本発明の一実施例における破折片除去器具のガイド板の拡大図である。
【図３】本発明の他の実施例における破折片除去器具の構成を示した図である。
【図４】湾曲に変形した歯の根管内に残留した根管治療器具の破折片を示した図である。
【図５】湾曲に変形した歯の根管内に残留した根管治療器具の破折片を本発明の一実施例における破折片除去器具によって緊縛した図である。
【符号の説明】
【００２７】
３００、４００  破折片除去器具
３１２、４１２  柄
３１４、４１４  ガイド板
３１６、４１６  ワイヤ
３１８、４１８  ループ
３２０  スライドトリガ
３２２  ワイヤ固定部
【図１】
2009131290.tif 000003
【図２】
2009131290.tif 000004
【図３】
2009131290.tif 000005
【図４】
2009131290.tif 000006
【図５】
2009131290.tif 000007